(57)【要約】【課題】服薬の状況をより正確に管理できるようにするための情報を提供する。【解決手段】ユーザ端末ＵＴにおいて、服薬申告情報取得部４００により服薬期間におけるユーザの服薬申告情報と共に、生活習慣情報取得部２００によりユーザの生活習慣を表す情報の一つである食事に関するログ情報を取得する。そして、上記取得された食事のログ情報をもとに、生活習慣規則性推定部３００により上記服薬期間におけるユーザの食事の規則性を推定し、推定された食事の規則性をもとに、服薬申告信頼度判定部５００により上記服薬期間におけるユーザの服薬申告情報の信頼度を判定し、その判定結果を表す情報を判定情報出力部６００から出力する。【選択図】図１
2020160613.tif 000002
【特許請求の範囲】
【請求項１】
投薬を受けているユーザの所定の服薬期間における服薬に関する申告情報を取得する申告情報取得部と、
前記服薬期間における前記ユーザの生活習慣に関するログ情報を取得するログ情報取得部と、
前記取得されたログ情報に基づいて、前記ユーザの生活習慣の規則性を推定する推定部と、
前記推定された生活習慣の規則性をもとに、前記服薬期間における前記申告情報の信頼度を判定する判定部と、
前記判定部による前記信頼度の判定結果を表す情報を出力する出力部と
を具備する服薬状況管理装置。
【請求項２】
前記ログ情報取得部は、前記投薬に係る処方箋に示される服薬条件に服薬と食事との関連性を表す情報が含まれている場合に、前記ログ情報として、前記ユーザの食事に関する食事ログ情報を取得し、
前記推定部は、前記取得された食事ログ情報をもとに、前記ユーザの食事の規則性の度合いを推定し、
前記判定部は、前記推定された食事の規則性の度合いに基づいて、前記服薬期間における前記服薬に関する申告情報の信頼度を判定する
請求項１に記載の服薬状況管理装置。
【請求項３】
前記ログ情報取得部は、前記食事ログ情報として、前記ユーザの食事の摂取の有無を示す情報および摂取の時間帯を示す情報の少なくとも一方を含む情報を取得し、
前記推定部は、前記取得された食事ログ情報に含まれる食事の摂取の有無を示す情報および摂取の時間帯を示す情報の少なくとも一方をもとに、前記食事の規則性の度合いを推定する
請求項２に記載の服薬状況管理装置。
【請求項４】
前記推定部は、前記取得された食事ログ情報に前記食事の摂取の有無を示す情報が含まれる場合に、前記摂取の有無を示す情報をもとに前記服薬期間における食事の摂取回数、摂取率、非摂取回数および非摂取率のうちのいずれかを算出して、算出された値を前記食事の規則性の度合いを表す情報とする
請求項３に記載の服薬状況管理装置。
【請求項５】
前記推定部は、前記取得された食事ログ情報に前記食事の摂取の時間帯を示す情報が含まれる場合に、食事の摂取タイミングの分散度合いを算出して、算出された分散度合いを前記食事の規則性の度合いを表す情報とする
請求項３に記載の服薬状況管理装置。
【請求項６】
プロセッサおよび記憶媒体を備える情報処理装置が実行する服薬状況管理方法であって、
前記情報処理装置が、投薬を受けているユーザの所定の服薬期間における服薬に関する申告情報を取得して前記記憶媒体に記憶させる過程と、
前記情報処理装置が、前記服薬期間における前記ユーザの生活習慣に関するログ情報を取得して前記記憶媒体に記憶させる過程と、
前記情報処理装置が、前記取得された前記服薬期間のログ情報に基づいて、前記ユーザの生活習慣の規則性を推定する過程と、
前記情報処理装置が、前記推定された生活習慣の規則性をもとに、前記服薬期間における前記申告情報の信頼度を判定する過程と、
前記情報処理装置が、前記信頼度の判定結果を表す情報を出力する過程と
具備する服薬状況管理方法。
【請求項７】
請求項１乃至５のいずれかに記載の服薬状況管理装置が具備する前記各部の処理を、前記服薬情報管理装置が備えるプロセッサに実行させるプログラム。
【発明の詳細な説明】
【技術分野】
【０００１】
この発明の実施形態は、例えばユーザによる服薬の状況を管理するために用いられる服薬状況管理装置、方法およびプログラムに関する。
【背景技術】
【０００２】
疾病の治療方法の一つとして投薬治療がある。投薬治療においては、医師から処方された薬剤の服用を遵守することが所期の治療効果を得る上できわめて重要である。
【０００３】
そこで、例えば、スマートフォン等の携帯情報端末を利用して、服薬したか否かなどの服薬状況を表す申告情報を患者が入力し、この申告情報をもとに服薬の遵守の状況を表す服薬アドヒアランス情報を生成し、この情報を患者の端末や医師や薬剤師の端末に表示可能とする技術が提案されている（例えば特許文献１を参照）。
【０００４】
この技術を用いれば、例えば医師や薬剤師等の投薬管理者は患者の服薬と治療効果との関係を的確に把握することが可能となり、非常に有効である。また、患者にとっても自身の服薬を継続する上での動機付けの一つとなるといった効果が得られる。
【先行技術文献】
【特許文献】
【０００５】
【特許文献１】特開２０１８−１５１９９３号公報
【発明の概要】
【発明が解決しようとする課題】
【０００６】
一方で、在宅で日常生活をしながら服薬治療をする患者の中には、服薬に対する遵守意識が低かったり多忙などの理由により、処方箋に示される通りに服薬しなかったにもかかわらず、服薬を行ったと偽りの申告をする患者も存在する。このような状況において、上記した従来の技術では、患者による服薬申告に対し例えば真に服薬しているか否かまでは検討されていないため、医師や薬剤師等の投薬管理者は服薬とその治療効果との関係を正しく判断できなくなるおそれがある。これは、投薬量を増やしたり薬種を変更するといった誤った投薬判断にもつながりかねず、非常に好ましくない。
【０００７】
この発明は上記事情に着目してなされたもので、服薬の状況をより正確に管理できるようにするための情報を提供する技術を提供しようとするものである。
【課題を解決するための手段】
【０００８】
上記課題を解決するためにこの発明に係る服薬状況管理装置又は方法の第１の態様は、投薬を受けているユーザの所定の服薬期間における服薬に関する申告情報を取得する申告情報取得部と、前記服薬期間における前記ユーザの生活習慣に関するログ情報を取得するログ情報取得部と、前記取得されたログ情報に基づいて前記ユーザの生活習慣の規則性を推定する推定部と、前記推定された生活習慣の規則性をもとに前記服薬期間における前記申告情報の信頼度を判定する判定部と、前記判定部による前記信頼度の判定結果を表す情報を出力する出力部とを具備するものである。
【０００９】
この発明に係る第１の態様によれば、次のような作用効果が奏せられる。すなわち、一般に、人の生活習慣の規則性と服薬の遵守状況は関連性を有している。例えば、毎日三度の食事を規則的に摂取している人は薬についても忘れずに服用していることが多く、また服薬の申告も正しく行われる場合が多い。一方で、三度の食事が不規則な人は薬を服用し忘れることが多く、また服薬の申告についてもずさんに行われる傾向がある。
【００１０】
そこで第１の態様では、上記したようにユーザの服薬期間における生活習慣を表す食事に関するログ情報を取得してユーザの生活習慣の規則性を推定し、その推定結果をもとに上記服薬期間におけるユーザの服薬申告の信頼度を判定し、その結果を出力するようにしている。このため、例えば、医師や薬剤師等の投薬管理者は、患者であるユーザの服薬の状況を正確に推測して、投薬の効果を診断することが可能となる。
【００１１】
この発明に係る服薬状況管理装置の第２の態様は、前記投薬に係る処方箋に示される服薬条件に服薬と食事との関連性を表す情報が含まれている場合に、前記ログ情報取得部により前記ユーザの食事に関する食事ログ情報を前記ログ情報として取得し、前記推定部により、前記取得された食事ログ情報をもとに前記ユーザの食事の規則性の度合いを推定する。そして、前記判定部により、前記推定された食事の規則性の度合いに基づいて前記服薬期間における前記服薬に関する申告情報の信頼度を判定するようにしたものである。
【００１２】
この発明に係る第２の態様によれば、例えば、処方箋に服薬と食事との関連性が記載されている場合に、ユーザの生活習慣に関するログ情報として食事のログ情報が取得され、この食事ログ情報をもとに食事の規則性が推定されて、その推定結果をもとにユーザの服薬申告の信頼度が判定される。すなわち、ユーザの生活習慣が反映されやすくしかも服薬との関連性が高い食事に着目し、その規則性をもとに服薬申告の信頼度が判定される。このため、服薬申告情報に対する信頼度を手軽にしかも比較的精度良く判定することが可能となる。
【００１３】
この発明に係る服薬状況管理装置の第３の態様は、前記ログ情報取得部により、前記食事ログ情報として、前記ユーザの食事の摂取の有無を示す情報と摂取の時間帯を示す情報の少なくとも一方を含む情報を取得し、前記推定部により、前記取得された食事ログ情報に含まれる食事の摂取の有無を示す情報および摂取の時間帯を示す情報の少なくとも一方をもとに前記食事の規則性の度合いを推定するようにしたものである。
【００１４】
この発明に係る第３の態様によれば、例えば、食事の摂取の有無又は摂取のタイミングに着目して食事の規則性が推定されるので、装置に大きな処理負荷を与えることなく比較的簡単に規則性を推定することが可能となる。
【００１５】
この発明に係る服薬状況管理装置の第４の態様は、前記推定部において、前記取得された食事ログ情報に前記食事の摂取の有無を示す情報が含まれる場合に、前記摂取の有無を示す情報をもとに前記服薬期間における食事の摂取回数、摂取率、非摂取回数および非摂取率のうちのいずれかを算出して、算出された値を前記食事の規則性の度合いを表す情報とするようにしたものである。
【００１６】
この発明に係る第４の態様によれば、例えば、服薬期間における食事の摂取回数、摂取率、非摂取回数および非摂取率のうちのいずれかを算出するだけで、比較簡単に食事の規則性の度合いを求めることかできる。
【００１７】
この発明に係る服薬状況管理装置の第５の態様は、前記推定部において、前記取得された食事ログ情報に前記食事の摂取の時間帯を示す情報が含まれる場合に、食事の摂取タイミングの分散度合いを算出して、算出された分散度合いを前記食事の規則性の度合いを表す情報とするようにしたものである。
【００１８】
この発明に係る第５の態様によれば、例えば、食事を摂取したタイミングの分散度合い、つまり食事のタイミングが規則的か或いは不規則かを調べることで、比較簡単に食事の規則性を求めることが可能となる。
【発明の効果】
【００１９】
すなわちこの発明の各態様によれば、服薬の状況をより正確に管理できるようにするための情報を提供する技術を提供することができる。
【図面の簡単な説明】
【００２０】
【図１】図１は、この発明に係る服薬状況管理装置の一つの適用例を示す機能ブロック図である。
【図２】図２は、この発明に係る服薬状況管理装置の一実施形態である携帯情報端末を備えるシステムの全体構成を示す図である。
【図３】図３は、図２に示した携帯情報端末のハードウェア構成の一例を示す図である。
【図４】図４は、図２に示した携帯情報端末のソフトウェア構成の一例を示す図である。
【図５】図５は、図４に示した携帯情報端末による服薬状況管理処理の手順と処理内容を示すフローチャートである。
【図６】図６は、図５に示したフローチャートにおける服薬申告信頼度判定処理の手順と処理内容の一例を示すフローチャートである。
【発明を実施するための形態】
【００２１】
以下、本発明の一側面に係る実施の形態を図面に基づいて説明する。ただし、以下に説明する実施形態はあらゆる点においてこの発明の例示に過ぎない。
【００２２】
［適用例］
先ず、この発明に係る服薬状況管理装置の一つの適用例について説明する。図１は、この一適用例を説明するための図であり、ＵＴは服薬状況管理装置としてのユーザ端末を示している。
【００２３】
（構成例）
ユーザ端末ＵＴは、例えば患者であるユーザが所持するスマートフォン等の携帯情報端末からなり、この発明の一適用例に係る機能として、入力／表示デバイス１００と、生活習慣情報取得部２００と、生活習慣規則性推定部３００と、服薬申告情報取得部４００と、服薬申告信頼度判定部５００と、判定情報出力部６００と、無線通信回路７００とを備えている。
【００２４】
このうち、生活習慣情報取得部２００と、生活習慣規則性推定部３００と、服薬申告情報取得部４００と、服薬申告信頼度判定部５００と、判定情報出力部６００は、例えばハードウェアプロセッサにプログラムを実行させることにより実現される。
【００２５】
入力／表示デバイス１００は、液晶又は有機ＥＬ画面上に静電容量方式又は感圧式の入力検出シートを配置したタブレット型のデバイスであり、ユーザの操作により入力された服薬申告情報を服薬申告情報取得部４００へ出力する。服薬申告情報取得部４００は、上記入力／表示デバイス１００から出力された服薬申告情報を取り込んで、ユーザ端末ＵＴ内のメモリに記憶させる。
【００２６】
無線通信回路７００は、広域移動通信ネットワーク、無線ＬＡＮ（Local Area Network）、およびBluetooth（登録商標）との間でそれぞれ通信を行う複数の無線インタフェース機能を有するもので、この例ではユーザが入力した服薬申告情報に対する信頼度の判定情報を医師や薬剤師等の投薬管理者の端末へ送信するために使用される。
【００２７】
生活習慣情報取得部２００は、ユーザが入力／表示デバイス１００において入力した食事に関するログ情報を、ユーザの服薬期間における生活習慣に関するログ情報として取得する。
【００２８】
生活習慣規則性推定部３００は、上記取得された食事に関するログ情報をもとに、服薬期間における食事の規則性を推定する。
【００２９】
服薬申告情報取得部４００は、入力／表示デバイス１００においてユーザが入力した、服薬期間における服薬の状況を申告する情報を取り込んでユーザ端末ＵＴ内のメモリに記憶させる。
【００３０】
服薬申告信頼度判定部５００は、上記生活習慣規則性推定部３００により推定された、服薬期間におけるユーザの食事の規則性を表す情報をもとに、ユーザが入力した上記服薬申告情報の信頼度を判定する。この信頼度の判定は、例えば、処方箋情報により指定された、一日に服薬すべき回数（タイミング）やその内容に基づいて行われる。処方箋情報は、例えば医師又は薬剤師等の投薬管理者の端末或いは病院のＥＭＳサーバから取得されてユーザ端末ＵＴ内の記憶部に記憶される。
【００３１】
判定情報出力部６００は、例えば、上記服薬申告情報の信頼度の判定結果に基づいて、医師や薬剤師等の投薬管理者向けて服薬申告情報の信頼度の判定結果を報告するための通知メッセージを生成し、無線通信回路７００から医師や薬剤師の端末へ送信させる。また判定情報出力部６００は、例えばユーザに服薬の申告を督促する通知メッセージを生成して入力／表示デバイス１００に表示させる機能も有する。なお、判定情報出力部６００には、上記服薬申告情報の信頼度の判定結果に基づいて、家族向けの連絡メッセージを生成し、無線通信回路７００から送信させる機能を持たせてもよい。
【００３２】
（作用効果）
以上のような構成であるから、ユーザ端末ＵＴでは、服薬申告情報取得部４００により服薬期間におけるユーザの服薬申告情報と共に、生活習慣情報取得部２００によりユーザの生活習慣を表す情報の一つである食事に関するログ情報が取得される。そして、上記取得された食事のログ情報をもとに、生活習慣規則性推定部３００により上記服薬期間におけるユーザの食事の規則性が推定され、推定された食事の規則性をもとに、服薬申告信頼度判定部５００により上記服薬期間におけるユーザの服薬申告情報の信頼度が判定され、その判定結果を表す情報が判定情報出力部６００から出力される。
【００３３】
ここで、一般に人の生活習慣の規則性と、服薬の遵守状況は関連性を有している。例えば、毎日三度の食事を規則的に摂取している人は薬についても忘れずに服用していることが多く、また服薬の申告も正しく行われることが多い。一方で、三度の食事が不規則な人は薬を服用し忘れることが多く、また服薬の申告についてもずさんに行われる傾向がある。
【００３４】
これに対しこの発明の適用例では、上記したようにユーザの服薬期間における生活習慣を表す食事に関するログ情報を取得してユーザの生活習慣の規則性を推定し、その推定結果をもとに上記服薬期間におけるユーザの服薬申告の信頼度を判定し、その結果を出力するようにしている。このため、例えば、医師や薬剤師等の投薬管理者は、患者であるユーザの服薬の状況を正確に推測して、投薬の効果を診断することが可能となる。
【００３５】
［一実施形態］
（構成例）
（１）システム
図２は、この発明の第１の実施形態に係る服薬状況管理装置を備えたシステムの全体構成を示す図であり、ＵＴは服薬状況管理装置としてのユーザ端末、ＭＴは医師又は薬剤師等の投薬管理者が使用する管理者端末、ＦＴはユーザの家族が使用する家族端末をそれぞれ示している。
【００３６】
ユーザ端末ＵＴは、管理者端末ＭＴおよび家族端末ＦＴとの間で、ネットワークＮＷを介してデータ通信が可能となっている。ネットワークＮＷは、例えば、インターネットを中核とする広域ネットワークと、当該広域ネットワークに対し端末を接続するためのアクセスネットワークとから構成される。
【００３７】
（２）装置
（２−１）ハードウェア構成
図３は、ユーザ端末ＵＴのハードウェア構成の一例を示すブロック図である。  
ユーザ端末ＵＴは、例えば患者であるユーザが所持するスマートフォンやタブレット型端末等の携帯情報端末からなる。ユーザ端末ＵＴは、ＣＰＵ（Central Processing Unit）等のハードウェアプロセッサ１（以後単にＣＰＵとも言う）を有し、このＣＰＵ１に対し、メモリ２、入力／表示デバイス３、および無線通信回路４を、バスを介して接続したものとなっている。
【００３８】
メモリ２は、例えばＳＳＤ（Solid State Drive）等の随時書込みおよび読出しが可能な不揮発性メモリと、ＲＡＭ（Random Access Memory）等の揮発性メモリとを組み合わせたものを記憶媒体として使用し、その記憶領域にはプログラム記憶領域およびデータ記憶領域を備える。プログラム記憶領域は、ＯＳ（Operation System）として機能するミドルウェアプログラムと、種々アプリケーションプログラムを格納するために用いられる。データ記憶領域は、服薬申告情報の信頼度を判定するために使用される各種データを記憶するために用いられる。
【００３９】
入力／表示デバイス３は、例えば、液晶又は有機ＥＬを用いたディスプレイ上に、静電容量方式又は感圧式の入力シートを配置したタブレット型のデバイスからなり、ユーザによる操作情報の入力と、表示情報の表示を行うために使用される。
【００４０】
無線通信回路４は、例えばBluetooth（登録商標）等の近距離無線ネットワーク、無線ＬＡＮ等の家庭内又は企業内のローカル無線ネットワーク、および通信事業者が提供する公衆移動通信ネットワークとの間でそれぞれ無線通信を行う複数の無線インタフェース機能を有する。そして、このうちのローカル無線ネットワーク又は公衆移動通信ネットワークを介して管理者端末ＭＴとの間でデータ伝送を行う。なお、無線通信プロトコル等の制御は、通常ではＣＰＵ１において行われるが、無線通信回路４において行われるようにしてもよい。なお、４１はアンテナを示す。
【００４１】
（２−２）ソフトウェア構成
図４は、ユーザ端末ＵＴのソフトウェア構成を、図３に示したハードウェア構成と関連付けて示したブロック図である。
【００４２】
メモリ２のデータ記憶領域には、服薬申告情報記憶部２１と、食事ログ情報記憶部２２とが設けられている。服薬申告情報記憶部２１には、ユーザが服薬の申告情報を入力する際に使用される入力テンプレートデータが記憶されている。また服薬申告情報記憶部２１には、ユーザが上記入力テンプレートデータに従い、入力／表示デバイス３により入力した服薬の申告情報が、服薬日時を表す情報と関連付けられて記憶される。食事ログ情報記憶部２２には、ユーザが食事ログ情報を入力する際に使用される入力テンプレートデータが記憶されている。また食事ログ情報記憶部２２には、ユーザが入力／表示デバイス３により入力した食事ログ情報が記憶される。
【００４３】
ＣＰＵ１は、一実施形態に係る処理機能部として、服薬申告情報取得部１１と、食事ログ情報取得部１２と、食事規則性推定部１３と、服薬申告信頼度判定部１４と、判定情報出力部１５とを有している。これらの制御部１１〜１５はいずれも上記メモリ２内のプログラム記憶領域に格納されたアプリケーションプログラムをＣＰＵ１に実行させることにより実現される。
【００４４】
服薬申告情報取得部１１は、ユーザによる服薬申告の入力要求操作により起動され、服薬申告情報記憶部２１から入力テンプレートデータを読み出して入力／表示デバイス３に表示させる。そして、服薬申告情報取得部１１は、上記入力テンプレートデータの案内に従いユーザが入力した服薬の申告情報を入力／表示デバイス３から受け取り、当該申告情報を服薬日時を表す情報と関連付けて服薬申告情報記憶部２１に記憶させる処理を行う。
【００４５】
食事ログ情報取得部１２は、ユーザによる食事ログ情報の入力要求操作により起動され、入力／表示デバイス３においてユーザが入力した食事ログ情報を取り込んで食事ログ情報記憶部２２に記憶させる処理を行う。食事ログ情報は、例えば、食事の摂取の有無と、摂取した時間帯を示す情報を含む。なお、食事ログ情報の入力手段としては、例えば、ユーザ端末ＵＴが備えるカメラを用いて食事の画像又はメニュー情報を撮像し、その撮像画像データを食事ログ情報取得部１２が取り込むものであってもよい。
【００４６】
食事規則性推定部１３は、服薬期間に摂取日時が含まれる食事ログ情報を食事ログ情報記憶部２２から読み出し、この読み出された食事ログ情報に基づいて上記服薬期間におけるユーザの食事の規則性を推定する処理を行う。なお、推定処理の具体例は後述する。
【００４７】
服薬申告信頼度判定部１４は、メモリ２に事前に記憶しておいたユーザの処方箋情報と、上記食事規則性推定部１３により得られた食事の規則性の推定結果に基づいて、ユーザが入力した上記服薬期間における服薬申告情報の信頼度を判定する処理を行う。処方箋情報は、例えば医師や薬剤師等の投薬管理者の端末或いはＥＭＲ（Electronic Medical Records）サーバから事前にダウンロードされてメモリ２内の処方箋情報記憶部（図示省略）に記憶される。なお、信頼度判定の具体例については後に詳しく述べる。
【００４８】
判定情報出力部１５は、上記服薬申告信頼度判定部１４による服薬申告情報の信頼度の判定結果を投薬管理者、ユーザの家族或いはユーザ本人に通知するための通知メッセージ情報を生成し、当該通知情報を管理者端末ＭＴ又は家族の端末ＦＴへ送信するか、又は入力／表示デバイス３に表示させる処理を行う。
【００４９】
（動作例）
次に、以上のように構成されたユーザ端末ＵＴの動作を説明する。図５および図６はその動作の一例を例示するフローチャートである。
【００５０】
（１）服薬申告情報の取得
ユーザ端末ＵＴは、待機状態において、ステップＳ１０により服薬申告情報の入力要求の操作を監視している。この状態で、ユーザが入力／表示デバイス３において、例えば服薬申告機能が割り当てられたアイコンをタップ操作したとする。そうすると、ユーザ端末ＵＴは服薬申告情報取得部１１を起動し、ステップＳ１１において先ず服薬申告情報記憶部２１から入力テンプレートデータを読み出し、入力／表示デバイス３に表示させる。
【００５１】
この状態でユーザが、上記入力テンプレートに従い、例えばその日の朝食後、昼食後、夕食後における服薬の有無を入力すると、当該入力された食事ごとの服薬の有無を表す情報を、入力／表示デバイス３から受け取って服薬申告情報記憶部２１に記憶させる。このとき、服薬の有無を表す情報には、それぞれ申告日時を表す情報が付与される。
【００５２】
なお、ユーザによっては、例えば１日分の服薬の申告を夕食後や就寝前にまとめて入力したり、次の日以降にまとめて入力することも考えられる。このような場合、入力日時（申告日時）をそのまま服薬日時にすると、申告された服薬日時が真の服薬日時と異なってしまう。そこで、上記入力テンプレートには未入力の日時について上記朝食後、昼食後、夕食後の各々に対応する入力欄を設け、これらの入力欄に入力された服薬の有無を表す情報を、朝食後、昼食後、夕食後を表す時間情報、つまり服薬した日時又は服薬すべき日時と関連付けて記憶させる。
【００５３】
以後、ユーザが服薬申告の入力要求操作を行うごとに、ユーザ端末ＵＴは服薬申告情報取得部１１の制御の下、上記した服薬申告情報を受け付けて服薬申告情報記憶部２１に記憶させる処理を行う。
【００５４】
（２）食事ログ情報の取得
ユーザ端末ＵＴは、待機状態において、ステップＳ１２により食事ログ情報の入力要求の操作を監視している。この状態で、ユーザが入力／表示デバイス３において、例えば食事ログ情報の入力機能が割り当てられたアイコンをタップ操作したとする。そうすると、ユーザ端末ＵＴは食事ログ情報取得部１２を起動し、ステップＳ１３において先ず食事ログ情報記憶部２２から入力テンプレートデータを読み出し、入力／表示デバイス３に表示させる。
【００５５】
この状態でユーザが、上記入力テンプレートに従い、例えばその日の朝食後、昼食後、夕食後に、それぞれ食事の摂取の有無と食事の摂取の時間帯を入力すると、当該入力された食事の摂取の有無と食事の摂取の時間帯を含む食事のログ情報を、入力／表示デバイス３から受け取って服薬申告情報記憶部２１に記憶させる。
【００５６】
なお、ユーザによっては、例えば１日分の食事ログ情報の入力を夕食後や就寝前にまとめて入力したり、次の日以降にまとめて入力することも考えられる。このような場合、入力日時をそのまま食事の時間帯とすると、入力日時が真の食事の時間帯と異なってしまう。そこで、上記入力テンプレートには未入力の日時について朝食、昼食、夕食の各々に対応する入力欄を設け、これらの入力欄に入力された食事の摂取の有無を表す情報を、それぞれ予め設定された標準的な朝食時間帯、昼食時間帯、夕食時間帯を表す情報と紐づけて、食事ログ情報記憶部２２に記憶させる。なお、食事を摂取した時間帯をユーザ自身が入力した場合には、当該入力された時間帯を食事の摂取の有無を表す情報と紐づけて記憶するようにしてもよい。
【００５７】
以後、ユーザが食事ログ情報の入力要求操作を行うごとに、ユーザ端末ＵＴは食事ログ情報取得部１２の制御の下、入力された食事ログ情報を受け付けて食事ログ情報記憶部２２に記憶させる処理を行う。
【００５８】
（３）食事の規則性の推定
ユーザ端末ＵＴは、上記服薬申告情報の取得処理および食事ログ情報の取得処理を行いながら、ステップＳ１４において服薬申告信頼度の判定要求を監視している。この状態で、例えば判定対象期間、例えば１日又は１週間の終了時点でＣＰＵ１のソフトタイマから上記判定要求が発生されると、ユーザ端末ＵＴは食事規則性推定部１３を起動する。そして、食事規則性推定部１３の制御の下、先ずステップＳ１５において、直近の判定対象期間に摂取した時間帯が含まれる食事ログ情報を食事ログ情報記憶部２２から読み出す。このとき、食事ログ情報記憶部２２には、食事ログ情報がその摂取した時間帯の順に記憶されていない場合があるので、食事規則性推定部１３は食事ログ情報を摂取した時間帯の順に並べ替える。この結果、まとめ入力等により記憶順がランダムになっている食事ログ情報は時系列の情報に整列される。
【００５９】
続いて、食事規則性推定部１３は、ステップＳ１６において、上記時系列に整列された食事ログ情報に基づいてユーザの食事の規則性の度合いを推定する。例えば、食事ログ情報に含まれる食事の摂取の有無を表す情報に基づいて、１日の中で朝、昼、夜の少なくとも１つで食事が摂取されていないと判定される場合には、この日の食事は「不規則」だったと推定し、この「不規則」を規則性の度合いで表現した情報を出力する。また、食事ログ情報に含まれる食事の摂取の時間帯を表す情報に基づいて、１日における朝、昼、夕の食事の摂取の時間帯の少なくとも１つがユーザの日頃の平均的な時間帯から外れている場合には、この日の食事は不規則だったと推定し、この「不規則」を規則性の度合いで表現した情報を出力する。なお、ユーザの日頃の平均的な食事の時間帯は、例えば過去の食事ログ情報から学習することにより求められる。
【００６０】
これに対し、朝、昼、夜のすべてにおいて食事が摂取されている場合には、この日の食事は規則性が維持されていると推定し、これを規則性の度合いで表現した情報を出力する。また、朝、昼、夕における食事の摂取の時間帯がユーザの日頃の平均的な時間帯の範囲内に含まれている場合には、この日の食事の規則性は維持されていたと推定し、それを規則性の度合いで表現した情報を出力する。
【００６１】
（４）服薬申告信頼度の判定
上記食事の規則性の推定処理が終了すると、ユーザ端末ＵＴは続いて服薬申告信頼度判定部１４を起動する。そして、服薬申告信頼度判定部１４の制御の下、ステップＳ１７において、メモリ２内の処方箋情報記憶部に事前に記憶されている処方箋情報と、服薬申告情報記憶部２１に記憶された上記判定対象期間に対応する服薬申告情報の信頼度を判定する。
【００６２】
図６は、この服薬申告信頼度の判定処理の手順と処理内容の一例を示すフローチャートである。服薬申告信頼度判定部１４は、先ずステップＳ１７１により、服薬申告情報記憶部２１から上記判定対象期間に対応する服薬申告情報を読み出し、当該服薬申告情報をもとに何らかの服薬申告がなされているか否かを判定する。
【００６３】
例えば、判定対象期間が１日の場合には、処方箋情報により指定された服薬回数のうち服薬申告がなされていない回数が１回でもあれば、その日は服薬申告なしと判定する。また、例えば判定対象期間が１週間の場合には、１回も服薬申告がなされていない日が１日以上又は所定日数以上あれば、この週は服薬申告なしと判定する。そして、服薬申告なしと判定された場合、服薬申告信頼度判定部１４はこの服薬申告情報は服薬申告信頼度の判定対象外と見なし、ステップＳ１７２において「ユーザに対し服薬申告の督促が必要」と判定し、この判定結果を判定情報出力部１５に渡す。
【００６４】
一方、上記ステップＳ１７１において服薬申告ありと判定されると、服薬申告信頼度判定部１４は次にステップＳ１７３において、上記食事規則性推定部１３により推定された食事の規則性の度合いがしきい値以上であるか否かを判定する。この判定の結果、規則性の度合いがしきい値以上であれば、服薬申告信頼度判定部１４はステップＳ１７４において、上記判定対象期間における服薬申告情報の信頼度は「高い」と判定する。これに対し、規則性の度合いがしきい値未満であれば、服薬申告信頼度判定部１４はステップＳ１７５において、上記判定対象期間における服薬申告情報の信頼度は「低い」と判定する。
【００６５】
（５）服薬申告信頼度の判定結果の出力
上記服薬申告信頼度判定部１４により服薬申告信頼度の判定処理が終了すると、ユーザ端末ＵＴは判定情報出力部１５を起動する。そして、この判定情報出力部１５の制御の下、ステップＳ１８において、上記服薬申告信頼度判定部１４から受け取った判定結果に基づいて、当該判定結果をユーザ本人、医師や薬剤師等の投薬管理者、或いは家族に通知するための通知メッセージを生成する。そして、ユーザ本人向けの通知メッセージは入力／表示デバイス３へ出力して表示させ、投薬管理者又は家族向けの通知メッセージは無線通信回路４へ出力してこの無線通信回路４から投薬管理者の端末ＭＴ又は家族の端末ＦＴへ送信させる。
【００６６】
なお、この例では、服薬申告の信頼度の判定情報のみを、投薬管理者の端末ＭＴ又は家族の端末ＦＴへ送信する場合について述べた。これは、ユーザの服薬申告情報が投薬管理者の端末ＭＴ又は家族の端末ＦＴへ、別の処理により送信されていることを前提とする場合である。これに対し、服薬申告の信頼度の判定情報を投薬管理者の端末ＭＴ又は家族の端末ＦＴへ送信する際に、併せて同一の判定対象期間に対応するユーザの服薬申告情報を投薬管理者の端末ＭＴ又は家族の端末ＦＴへ送信するようにしてもよい。このようにすると、例えば医師は服薬申告情報からユーザの服薬状況を判断する際に、同時に通知された服薬申告の信頼度を考慮することが可能となる。
【００６７】
（作用効果）
以上述べたように一実施形態では、ユーザ端末ＵＴにおいて、入力／表示デバイス３により入力された、服薬期間におけるユーザの服薬申告情報を服薬申告情報取得部１１により取得して服薬申告情報記憶部２１に記憶させると共に、入力／表示デバイス３において入力された、上記服薬期間におけるユーザの生活習慣を表す情報の一つである食事ログ情報を食事ログ情報取得部１２により取得して食事ログ情報記憶部２２に記憶させる。そして、上記取得された食事ログ情報をもとに、生活習慣規則性推定部１３により上記服薬期間におけるユーザの食事の規則性を推定し、推定された食事の規則性をもとに、服薬申告信頼度判定部１４により上記服薬期間におけるユーザの服薬申告情報の信頼度を判定し、その判定結果を表す情報を判定情報出力部１５から出力するようにしている。
【００６８】
ここで、一般に人の食事の摂取の規則性と、服薬の遵守状況は関連性を有している。例えば、処方箋により毎食後一定時間内の服薬が指示されている場合、毎日三度の食事を規則的に摂取している人は忘れずに服薬していることが多く、また服薬の申告も正しく行われることが多い。一方で、三度の食事が不規則な人は服薬を忘れることが多く、また服薬の申告についてもずさんになる傾向がみられる。
【００６９】
これに対しこの発明に係る一実施形態では、上記したようにユーザの服薬期間における食事ログ情報を取得してユーザの食事の摂取の規則性を推定し、その推定結果をもとに上記服薬期間におけるユーザの服薬申告の信頼度を判定し、その結果を出力するようにしている。このため、例えば、医師や薬剤師等の投薬管理者は、患者であるユーザの服薬の状況を正確に推測して、投薬の効果を診断することが可能となる。また、服薬申告の信頼度の判定結果を家族等の端末ＦＴに送信すれば、家族がユーザ本人に対し服薬の申告について直接指導をしたり、服薬が的確になされているかどうかを確認することが可能となる。さらに、服薬の申告を忘れがちなユーザに対しては、服薬の申告を督促するメッセージを入力／表示デバイス３に表示させることで、ユーザによる服薬申告の遵守率を高めることが可能となる。
【００７０】
［変形例］
（１）一実施形態では、この発明に係る服薬状況の管理機能をユーザ端末ＵＴに設けた場合を例にとって説明した。しかし、この発明はそれに限定されるものではない。例えば、この発明に係る服薬状況の管理機能を、病院や薬局等の医療機関が運営するサーバ装置に設けたり、医療、医薬又は介護等に関連するサービス事業者が運営するサーバ装置に設けるようにしてもよい。
【００７１】
このようにサーバ装置に服薬状況の管理機能を設ける場合、例えば、ユーザ端末においてユーザが入力した服薬申告情報、および食事ログ情報を、ユーザ端末から一定期間分ずつサーバ装置へ送信し、サーバ装置が上記ユーザ端末から送られた服薬申告情報および食事ログ情報を受信して記憶し、予め設定された判定タイミング又は医師等の判定要求の入力に応じて、第１および第２の実施形態において説明した一連の処理を実行することにより実施可能である。
【００７２】
（２）一実施形態では、服薬状況管理装置の機能をユーザが所有するスマートフォン等の携帯情報端末（ユーザ端末）に設けた場合を例にとって説明したが、例えばウェアラブル端末に服薬状況管理装置の機能を設けるようにしてもよい。
【００７３】
（３）一実施形態では、食事の規則性の度合いを１個のしきい値と比較することで、服薬申告情報の信頼度を判定するようにした。しかしそれに限らず、例えば、複数のしきい値を設定し、食事の規則性の度合いを上記複数のしきい値と比較することで、服薬申告情報の信頼度を多段階に判定するようにしてもよい。この場合、食事の規則性の度合いは、例えば、１日や１週間などの単位期間におけるユーザの平均的な食事の回数に対する実際に行われた食事の回数の比率や、ユーザの平均的な食事の時間帯から実際の食事のタイミングが外れたときの回数またはその比率を用いることができる。
【００７４】
（４）一実施形態では、生活習慣の習慣を推定するために、食事ログ情報を用いる場合を例にとって説明したが、食事ログ情報に限らず、毎日の起床時刻や就寝時刻の規則性等を用いてもよい。
【００７５】
その他、服薬状況管理装置の構成や処理手順と処理内容、生活習慣に関するログ情報の種類やその入力方法、服薬申告情報の信頼度の判定結果を表すメッセージ情報の内容や通知先等についても、この発明の要旨を逸脱しない範囲で種々変形して実施可能である。
【００７６】
以上、この発明に係る複数の実施形態および変形例について詳細に説明してきたが、前述までの説明はあらゆる点においてこの発明の例示に過ぎず、この発明の範囲を逸脱することなく種々の改良や変形を行うことができることは言うまでもない。つまり、この発明の実施にあたって、各実施形態に応じた具体的構成が適宜採用されてもよい。
【００７７】
また、この発明は、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【００７８】
［付記］
上記各実施形態の一部または全部は、特許請求の範囲のほか以下の付記に示すように記載することも可能であるが、これに限られない。  
（付記１）  
ハードウェアプロセッサおよび記憶媒体を備える服薬状況管理装置であって、
前記ハードウェアプロセッサが、
投薬を受けているユーザの所定の服薬期間における服薬に関する申告情報を取得して前記記憶媒体に記憶させる処理と、
前記服薬期間における前記ユーザの生活習慣に関するログ情報を取得して前記記憶媒体に記憶させる処理と、
前記取得されたログ情報に基づいて、前記ユーザの生活習慣の規則性を推定する処理と、
前記推定された生活習慣の規則性をもとに、前記服薬期間における前記申告情報の信頼度を判定する処理と、
前記判定部による前記信頼度の判定結果を表す情報を出力する処理と
を実行するように構成される服薬状況管理装置。
【符号の説明】
【００７９】
ＵＴ…ユーザ端末
ＮＷ…ネットワーク
ＭＴ…管理者端末
ＦＴ…家族端末
１…ＣＰＵ
２…メモリ
３，１００…入力／表示デバイス
４，７００…無線通信回路
１１，４００…服薬申告情報取得部
１２…食事ログ情報取得部
１３…食事規則性推定部
１４，５００…服薬申告信頼度判定部
１５，６００…判定情報出力部
２１…服薬申告情報記憶部
２２…食事ログ情報記憶部
４１…アンテナ
２００…生活習慣情報取得部
３００…生活習慣規則性推定部
【図１】
2020160613.tif 000003
【図２】
2020160613.tif 000004
【図３】
2020160613.tif 000005
【図４】
2020160613.tif 000006
【図５】
2020160613.tif 000007
【図６】
2020160613.tif 000008